(57)【要約】 【課題】  サスペンション部の弾性を損なうことなく、組立容易性を高め、組立精度を向上させた磁界変調ヘッドの支持装置を提供する。【解決手段】  磁気ヘッド（１０）を搭載したスライダ（８）をサスペンションにより揺動自在に支持する磁界変調ヘッドの支持装置（２）であって、前記スライダに先端側を取り付け、その後端側を支持部材（支持フレーム４）に固定させて前記スライダを弾力的に支持する１対の板ばね（３８、４０）と、これら板ばねの中間部に設置されて前記板ばねの間を橋絡して前記板ばねに固定される単一又は複数の第１の橋絡体（５２）と、前記橋絡体と前記スライダとの間の前記板ばねに設置されて前記板ばね間を橋絡し、前記板ばねに固定される第２の橋絡体（６２）とを備えた構成である。【選択図】        図２
2005293718.tif 000002
【特許請求の範囲】
【請求項１】
磁気ヘッドを搭載したスライダをサスペンションにより揺動自在に支持する磁界変調ヘッドの支持装置であって、
前記スライダに先端側を取り付け、その後端側を支持部材に固定させて前記スライダを弾力的に支持する１対の板ばねと、
これら板ばねの中間部に設置されて前記板ばねの間を橋絡して前記板ばねに固定される単一又は複数の第１の橋絡体と、
前記橋絡体と前記スライダとの間の前記板ばねに設置されて前記板ばね間を橋絡し、前記板ばねに固定される第２の橋絡体と、
を備えたことを特徴とする磁界変調ヘッドの支持装置。
【請求項２】
前記板ばねの基端部に固定部が設けられ、この固定部に形成された複数の透孔を以て位置決めするとともに、支持フレームの第１の部材と第２の部材との間に挟み込んで固定したことを特徴とする請求項１記載の磁界変調ヘッドの支持装置。
【請求項３】
前記板ばねの先端部にスライダ固定部が設けられ、このスライダ固定部に形成された複数の透孔にスライダを位置決めして固定したことを特徴とする請求項１記載の磁界変調ヘッドの支持装置。
【発明の詳細な説明】
【技術分野】
【０００１】
本発明は、サスペンションを用いた磁気ヘッドの支持構造に関し、光磁気記録媒体や磁気記録媒体等の記録装置に用いられる磁界変調ヘッドの支持装置に関する。
【背景技術】
【０００２】
光磁気ディスクの記録は、回転する光磁気ディスクの表面に磁気ヘッドに発生させた磁界を加え、その背面側に光ビームを照射することにより行われる。磁気ヘッドが発生する磁界を一定とすれば、光磁気ディスク表面の磁界強度は光磁気ディスク表面と磁気ヘッドとの間隔に依存することになる。そこで、磁気ヘッドを弾性的に支持、搭載して光磁気ディスク表面を摺動させる手段として支持装置が用いられている。
【０００３】
この支持装置に関する先行技術に関し、次のような特許文献が存在している。
【特許文献１】特開平９−２６５６８０号公報  この特許文献１には、製造工数の削減、簡単な構成で簡便に製造、薄形化と低コスト化を企図した磁界変調ヘッドの取付方法、装置について開示され、その構成は、可撓性導電片とほぼ平行な腕部を設け、腕部を可撓性導電片と部分的に係合させ、スライダを光磁気ディスクの一面に摺接しかつ光ピックアップに対向して配置し、光磁気ディスクに対し当接離反可能にした光磁気記録用の磁界変調ヘッドに関し、可撓性導電片、クラッチ機構等を備えて磁界変調ヘッドのスライダを光磁気ディスクに対して当接し、離反させるものである。
【発明の開示】
【発明が解決しようとする課題】
【０００４】
ところで、磁界変調ヘッドの支持装置は、磁気ヘッドを搭載したスライダを支持する形態であり、このスライダはサスペンションにより前後左右に揺動自在に支持されており、斯かる構造は板ばねで吊り下げ状態にある。
【０００５】
このような板ばね（ジンバルばね）でスライダを支持した場合、記録媒体に対するスライダ、即ち、磁気ヘッドの追従性に優れる。板ばねは、スライダとともに磁気ヘッドを弾性的に支持するとともに、磁気ヘッドのコイルの各端部に接続されて導電部材を構成している。このため、板ばねは一対を以て構成され、各板ばねは一定の間隔を保持させてスライダとともに磁気ヘッドを支持する構造である。しかしながら、一対の板ばねを用いてスライダを支持する構造では、各板ばねの形状を左右対象に形成しても、位置決めや組立上のばらつきがスライダ及び磁気ヘッドの支持精度を低下させ、位置ずれや組立精度等が磁界変調ヘッドの信頼性や性能に影響を与えるおそれがあった。また、一対の板ばねは、一体性が損なわれたり、ねじれ等の変形が生じると、磁気記録媒体の記録面に対するスライダや磁気ヘッドの水平度が損なわれるおそれもあった。
【０００６】
また、板ばねの柔軟性を高めると、追従性に優れるが、機械的強度が低く、落下や長期の使用に対する耐性が低くなると、適当な補強が必要になるとともに、再生時にはスライダとともに磁気ヘッドをはね上げて記録媒体から離すことが必要となる。不十分な補強では、落下試験の結果、スライダ及び磁気ヘッドの重みによる過度な応力により板ばねが変形し、不良となることが確認されている。そこで、再生時にスライダとともに磁気ヘッドをはね上げるためのはね上げ機構と、板ばねの補強機構とを兼用する構造も考えられてきたが、このような構造では、はね上げ機構によりスライダの追従性が損なわれ、記録媒体に対する記録品質を低下させる原因になる。                                              
【０００７】
そこで、本発明は、サスペンション部の弾性を損なうことなく、組立容易性を高め、組立精度を向上させた磁界変調ヘッドの支持装置を提供することを課題とする。
【課題を解決するための手段】
【０００８】
上記目的を達成するため、本発明の磁界変調ヘッドの支持装置は、磁気ヘッド（１０）を搭載したスライダ（８）をサスペンションにより揺動自在に支持する磁界変調ヘッドの支持装置（２）であって、前記スライダに先端側を取り付け、その後端側を支持部材（支持フレーム４）に固定させて前記スライダを弾力的に支持する１対の板ばね（３８、４０）と、これら板ばねの中間部に設置されて前記板ばねの間を橋絡して前記板ばねに固定される単一又は複数の第１の橋絡体（５２）と、前記橋絡体と前記スライダとの間の前記板ばねに設置されて前記板ばね間を橋絡し、前記板ばねに固定される第２の橋絡体（６２）とを備えた構成である。斯かる構成とすれば、一対の板ばねが第１及び第２の橋絡体により橋絡して固定されており、単一のばねと同様の一体化が図られている。
【０００９】
上記目的を達成するためには、前記板ばねの基端部に固定部が設けられ、この固定部に形成された複数の透孔を以て位置決めするとともに、支持フレームの第１の部材と第２の部材との間に挟み込んで固定した構成としてもよい。斯かる構成とすれば、板ばねの各基端部が第１及び第２の部材間に挟まって支持フレームに固定されているので、単一のばねと同様の一体化が基端部側でも図られている。
【００１０】
上記目的を達成するためには、前記板ばねの先端部にスライダ固定部が設けられ、このスライダ固定部に形成された複数の透孔にスライダを位置決めして固定した構成としてもよい。斯かる構成とすれば、各板ばねの先端部側のスライダ固定部にはスライダが既述した第１及び第２の橋絡体と同様に橋絡部として機能し、しかも、複数の透孔でスライダを位置決めして固定しているので、スライダ固定部側、基端部側の何れでも単一のばねと同様の一体化が図られている。
【発明の効果】
【００１１】
以上説明したように、本発明によれば、次の効果が得られる。
【００１２】
(1) サスペンション部を構成する一対の板ばねのばね性能を損なうことがなく、安定したサスペンション特性を得ることができる。
【００１３】
(2) 組立性の向上とともに機械的精度を高め、板ばねのねじれ剛性を高めることができ、落下衝撃等に対する耐性を向上させることができる。
【００１４】
(3) 磁気ヘッドの昇降に伴う耐久性を向上させることができる。
【発明を実施するための最良の形態】
【００１５】
本発明の実施形態について、図１及び図２を参照して説明する。図１は実施形態に係る磁界変調ヘッドの支持装置の概要を示す斜視図、図２はその分解斜視図である。
【００１６】
この磁界変調ヘッドの支持装置２には、図示しない記録再生装置に固定される支持部材として支持フレーム４にサスペンション部６を介してスライダ８が取り付けられ、このスライダ８には磁気記録媒体の記録面に接触させる磁気ヘッド１０が搭載されている。支持フレーム４は、図示しない記録再生装置のシャーシ等の支持部材に固定され、立設される支柱部１２と、この支柱部１２に取り付けられて水平方向に設置されたアーム部１４とを備えている。支柱部１２の頂部にはアーム部１４を取り付ける取付部１６が形成され、この取付部１６と支柱部１２とでＬ字形を構成している。また、支柱部１２の下端部には取付部１６と対向する側に複数の固定部１８、２０が形成され、固定部１８にはシャーシ等に固定するためのビスを貫通させるための透孔２２が形成されている。支持フレーム４は例えば、合成樹脂の成形体で構成されている。
【００１７】
支持フレーム４において、アーム部１４には固定ねじ２４を貫通させる透孔２６が形成されるているとともに、固定ねじ２４の頭部２８を挿入するための凹部３０が形成され、この凹部３０の周囲には複数の位置決め孔としての透孔３２が形成されている。また、支柱部１２の頂部に形成されている取付部１６には、アーム部１４を貫通させた固定ねじ２４のねじ部３４をねじ込むためのねじ孔３６が形成されているとともに、このねじ孔３６の周囲に既述の透孔３２に対応する複数の透孔３７が形成されている。サスペンション部６は、支持フレーム４のアーム部１４と取付部１６との間に挟み込まれて固定ねじ２４により支持フレーム４に固定されて支持される。
【００１８】
次に、サスペンション部及びスライダについて、図３〜図５を参照して説明する。図３はサスペンション部の分解斜視図、図４はサスペンション部の平面図、図５はその背面図である。
【００１９】
サスペンション部６は、スライダ８ともに磁気ヘッド１０を弾性的に支持する弾性体としてジンバルばねを構成する１対の板ばね３８、４０を備えている。各板ばね３８、４０は，磁気ヘッド１０のコイルと記録再生装置側の記録・再生部と信号の授受を行うための信号路を構成している。これら板ばね３８、４０は、その先端部にスライダ８が取付けられ、またその後端部が支持フレーム４の支柱部１２の取付部１６とアーム部１４との間に挟み込まれて位置決めされるとともに、この実施形態では固定手段として例えば、固定ねじ２４により固定されているが、この固定には固定ねじ２４に代えて接着剤等を用いてもよい。
【００２０】
サスペンション部６の各板ばね３８、４０は、平行に維持されて設置され、取付部１６とアーム部１４との間に挟み込まれる基端部側に固定部３８２、４０２、中間部にスライダ８とともに磁気ヘッド１０を支持する支持部３８４、４０４、先端部側にスライダ８が固定されるスライダ固定部３８６、４０６が形成されている。支持部３８４、４０４は固定部３８２、４０２から第１の屈曲部４２で下方に屈曲させて傾斜しており、支持部３８４、４０４には下端部側に第２の屈曲部４４を設けてスライダ固定部３８６、４０６を水平方向に維持させる。
【００２１】
固定部３８２、４０２には、中央部に固定ねじ２４を貫通させるための円形の孔部４６、この孔部４６の周囲には既述の透孔３２、３７に対応して位置決めのための複数の透孔４８が形成されている。支持部３８４、４０４には剛性を高めるためアングル部５０が形成され、板ばね３８、４０間に固定されて両者を固定するとともに補強する第１の橋絡体５２を固定するための第１及び第２の固定孔５４、５６、第１及び第２の窓部５８、６０が形成されているとともに、板ばね３８、４０間に固定されて両者を固定するとともに補強する第２の橋絡体６２を固定するための固定孔６４が形成されている。更に、支持部３８４、４０４には、第３の窓部６６が形成され、また、スライダ固定部３８６、４０６にはスライダ８を固定するための複数の固定孔６８が形成されている。
【００２２】
橋絡体５２は絶縁性合成樹脂で成形され、棒状の本体部７０と、板ばね３８、４０間を橋絡する橋絡部７２、７４と、窓部５８、６０に挿入される突部７６、７８と、窓部６６側に突出する突出部８０とを備えており、橋絡部７２には各固定孔５４に挿入される突部８２、橋絡部７４には各固定孔５６に挿入される突部８４が形成されている。各突部８２、８４は固定孔５４、５６に挿入されて位置決めされ、溶着や接着剤等により板ばね３８、４０に固定される。
【００２３】
また、橋絡体６２も同様に絶縁性合成樹脂で成形され、板ばね３８、４０の窓部６６の縁部に沿って設置される１対の支持枠部８６とともに橋絡部８８が備えられており、この橋絡部８８には板ばね３８、４０の固定孔６４に挿入される突部９０が形成されているとともに、支持枠部８６の間より窓部６６に突出する突出部９２が形成されている。各突部９０は固定孔６４に挿入されて位置決めされ、溶着や接着剤等により板ばね３８、４０に固定される。
【００２４】
そして、スライダ８にはスライダ固定部３８６、４０６の複数の固定孔６８に挿入される複数の突部９４が形成され、各突部９４は固定孔６８に挿入されて溶着や接着剤等により板ばね３８、４０の下面側に固定され、スライダ８が板ばね３８、４０の下面側に支持される。また、このスライダ８の背面側には、磁気ヘッド１０を覆って角柱状の保持体９６が設置され、また、板ばね３８、４０の窓部６６側に突出する突出部１０２が形成されている。
【００２５】
斯かる構成とすれば、図４及び図５に示すように、サスペンション部６の板ばね３８、４０は固定部３８２、４０２側で支持フレーム４の支柱部１２の取付部１６とアーム部１４との面部間に把持されて固定され、中間部である支持部３８４、４０４では橋絡体５２の橋絡部７２、７４によって固定されるとともに、突部７６、７８によって間隔保持とずれの防止が図られ、更に、橋絡体６２の橋絡部８８によって固定されている。また、板ばね３８、４０のスライダ固定部３８６、４０６間はスライダ８によって固定されている。この結果、サスペンション部６の板ばね３８、４０は、平行及び水平に維持され、ねじれによる変形から防護されているとともに、取り付けられた橋絡体５２、６２によって補強されている。
【００２６】
そして、この支持装置２は記録再生装置に設置され、図６に示すように、スライダ８とともに磁気ヘッド１０は、記録再生装置側に設置されて操作される昇降アーム１０４の昇降により、サスペンション部６の弾力性により昇降が可能であり、矢印Ａはその昇降を示している。下降させたスライダ８は磁気記録媒体１０６の記録面に設置される。スライダ８に搭載された磁気ヘッド１０は、コア部１０８の周囲にコイル１１０が巻回され、そのコイル端は各板ばね３８、０６に個別に接続され、各板ばね３８、４０を信号路として記録再生装置の記録再生部に接続されている。
【００２７】
斯かる構成によれば、追従性を損なうことなく、スライダ８とともに磁気ヘッド１０を支持することができるとともに、落下等の衝撃による板ばね３８、４０の屈曲等の変形を防止でき、追従性及び信頼性の高い磁界変調ヘッドの支持装置を実現できる。
【００２８】
この実施形態の支持装置２について、他の特徴事項及び効果を列挙すれば、次の通りである。
【００２９】
(1) サスペンション部６の位置ずれを起こしにくい形態である。即ち、４カ所を位置決めで、スラスト方向のずれを無視できる程度に減少させることができる。組立性の向上、機械的精度の向上により、サスペンション部６に安定したばね性能を実現でき、落下衝撃性の向上及びねじれ剛性を向上させている。
【００３０】
(2)   板ばね３８、４０に第１及び第２の橋絡体５２、６２が設置されて補強されており、落下衝撃性の向上を図ることができる。衝撃加速度によるサスペンション部６の変形を防止することができる。
【００３１】
(3) サスペンション部６のリフトアップ時、樹脂材質の使用で、くり返しに対する耐久性能が向上している。
【００３２】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００３３】
本発明は、ジンバルばねでスライダとともに支持される磁界変調ヘッドの追従性を損なうことなく、落下等の衝撃に対するねじれ等の変形からサスペンション部を防護することができ、組立性や機械的精度を高めた支持装置を提供でき、有用である。
【図面の簡単な説明】
【００３４】
【図１】本発明の実施形態に係る磁界変調ヘッドの支持装置の概要を示す斜視図である。
【図２】磁界変調ヘッドの支持装置の分解斜視図である。
【図３】サスペンション部の分解斜視図である。
【図４】サスペンション部を示す平面図である。
【図５】サスペンション部を示す背面図である。
【図６】磁界変調ヘッドの昇降及び使用状態を示す図である。
【符号の説明】
【００３５】
２  磁界変調ヘッドの支持装置
６  サスペンション部
８  スライダ
１０  磁気ヘッド
３８、４０  板ばね
５２  第１の橋絡体
６２  第２の橋絡体
【図１】
2005293718.tif 000003
【図２】
2005293718.tif 000004
【図３】
2005293718.tif 000005
【図４】
2005293718.tif 000006
【図５】
2005293718.tif 000007
【図６】
2005293718.tif 000008